(57)【要約】【課題】十分な目視白さを持ち、フレキソ印刷インキ、特に水性フレキソインキに対して優れたインキ発色性と印刷仕上がりを持つライナーおよびそれを用いた段ボールシートを提供することにある。【解決手段】少なくとも２層以上の多層抄きで構成される原紙の片面に顔料と接着剤とを含有する塗工層を設けてなる塗工ライナーにおいて、該原紙の表層に使用されるパルプが針葉樹晒クラフトパルプ、広葉樹晒クラフトパルプおよびケント古紙パルプから選ばれた少なくとも1種であり、該塗工層中の顔料として焼成カオリン及びタルクを含有し、かつ塗工ライナー表面の白色度が５０〜８５％であることを特徴とする塗工ライナーである。【選択図】なし【特許請求の範囲】
【請求項１】
少なくとも２層以上の多層抄きで構成される原紙の片面に顔料と接着剤とを含有する塗工層を設けてなる塗工ライナーにおいて、該原紙の表層に使用されるパルプが、針葉樹晒クラフトパルプ、広葉樹晒クラフトパルプおよびケント古紙パルプから選ばれた少なくとも1種であり、該塗工層中の顔料として焼成カオリン及びタルクを含有し、かつ塗工ライナー表面の白色度が５０〜８５％であることを特徴とする塗工ライナー。
【請求項２】
前記原紙の表層に接する表下層に使用されるパルプがケント古紙、雑誌古紙、新聞古紙および段ボール古紙から選ばれた少なくも１種である請求項１に記載の塗工ライナー。
【請求項３】
前記塗工層中の焼成カオリンの含有量が全顔料１００質量部当たり３０〜９５質量部である請求項１または２に記載の塗工ライナー。
【請求項４】
前記塗工層中のタルクの含有量が全顔料１００質量部当たり５〜５０重量部である請求項１〜３のいずれか１項に記載された塗工ライナー。
【請求項５】
請求項１〜４のいずれか一項に記載の塗工ライナーを用いた段ボールシート。
【発明の詳細な説明】
【技術分野】
【０００１】
本発明は、塗工ライナー及びそのライナーを用いた段ボールシートに関する。特に、フレキソ印刷のインキ発色性の優れた美粧段ボールシート用に関するものである。
【背景技術】
【０００２】
一般に、ライナーは２〜９層程度の多層抄きされた厚紙で、２層の場合は裏層、３層以上の場合は中層にコスト及び省資源を目的として、脱墨されない古紙パルプが使用される。ライナーは中芯原紙と組み合わせて段ボールシートに加工されて、各種包装箱等に使用されるが、近年段ボール箱の機能が、商品を保管・輸送などの流通過程で受ける物理的な力から守るだけでなく、商品が詰められたまま展示、あるいはセリ等に見られるように商品の顔としての機能を付加するために多色印刷が多く行われようになった。このため印刷方式のなかでもオフセットやグラビア印刷と比べ、技術進歩が目覚ましいフレキソ印刷が、小ロット多品種化や環境と安全性問題、コスト削減などの市場課題に対して、近年のデジタル化の波とともに、画期的で斬新な技術でもって注目されている。さらに印刷品質についても、他の印刷方式と比較しても遜色なく、水性化や無溶剤化の面で大きな優位性が認められて、欧米の包装分野では既にフレキソ印刷が主流となっており、日本においても普及の兆しがある。このよう情勢のなかで、通常のクラフト色以外に、見栄えのある目立つ多色印刷が行われる美粧ライナーと呼ばれるライナーは、表層に晒パルプや上白古紙パルプを配合したり、白色顔料塗料を塗工して、表面の白色度を高めたりすることによって製造されていた。また、表層のみの対策はコストがかかることから、表下層（表層の直下の層）にもある程度白色度のあるパルプを用いて、中層の色を隠蔽する作用を持たせることもある。この様な白色度の高い外観を持ったものは、白紙面だけでなく、これに印刷した場合、印刷面が美麗かつ鮮やかに見える効果を与える。このため、この種のライナーを使用して、カラー印刷を施した段ボ−ル箱は、人の目を引く効果が高く、更に、内容物を忠実に表するために、内容物の優良性を強く訴えることが出来る優れた面がある。近年、量販店を中心に、店頭に段ボ−ル箱に製品を詰めたまま販売するということがよく見受けられるようになって来ており、この点からも印刷面が美麗で鮮やかなライナーが求められている。
【０００３】
このため、ライナー表面の白色度と色相を所定の範囲に調整することにより、白紙外観、印刷外観も深みのある落ち着いた視覚効果を与えるライナーが開示されている。（特許文献１参照）さらに、白紙外観、及び印刷画像の鮮明性に優れるライナーとして、表層の明度をある一定の範囲内（６０−７３）でかつ、表層の灰分含有量が３重量％以上、９％未満が開示されている。（特許文献２参照）また、顔料とバインダーを主成分として含有する塗工層により、白色度と色相及び光沢を特定範囲に調整することにより白紙面では落ち着いた視覚効果を与えるとともに、印刷の文字が読み易く、さらにカラー印刷するとインキ発色性が良好で印刷光沢が良好で印刷面が鮮明な美粧ライナーが開示されている。（特許文献３参照）しかしながら、これらの開示はいずれもライナーとしての色相や明度を規定しているだけで、フレキソ印刷における印刷適性を十分満足させる提案になっていない。また、一般の茶ライナーに白インキを多量に印刷した上に、多色を印刷して、美粧性を付加する方法が行われているが、この場合、茶ライナー表面を白くし、赤や藍など多色インキの仕上がりをよくするために、高価な白インキを多量に印刷する必要がありこの方法も経済的に大きな負担となっている。ライナーの表層に顔料とバインダーを含む塗被層を設け、耐油度（キット数）を１２級以上としたライナーが開示されている。（特許文献４参照）このライナーは耐油度レベルが高すぎ、優れたフレキソインキ発色性は得られない。
【０００４】
さらに、フレキソ印刷性の優れたライナーを得る方法として、ライナー表面にカチオン性の樹脂を塗布することにより印刷効果を向上させる技術が開示されている。（特許文献５、６を参照）しかしながら、インキの発色や印刷面の仕上がりに関して、十分満足できるものではない。
【０００５】
また、顔料と接着剤を主成分とする水性組成物をライナー原紙に塗工する際のその水性組成物中の顔料組成として（ａ）焼成カオリンが２０〜７０重量部、（ｂ）構造化カオリンおよび/またはデラミネーテッドカオリンが１５〜７７重量部、および（ｃ）プラスチックピグメントが３〜２０重量部含有せしめられ、かつ（ａ）＋（ｂ）＋（ｃ）の合計が７０重量部以上である塗工ライナーが開示されている(特許文献７参照)。しかしながら、その目的とするところは、グラビア印刷に適し、かつ白紙光沢、印刷光沢に優れた塗工ライナーを得ることにあり、この顔料組成の塗工層を持ったライナーを水性フレキソ印刷すると、インキ濃度が劣り、印刷仕上がりに劣るものしか得られない。さらに、フレキソ印刷のモトリングの発生がない、白紙光沢および印刷光沢に優れた塗工ライナーを得るために、塗被層面の平滑度特性として、加圧型平滑度計で加圧条件５ｋｇｆ／ｃｍ２で測定したときの平滑度が３．０μｍ以下で、２０ｋｇｆ／ｃｍ２で測定した平滑度との比が０．３〜０．８である塗工ライナーが提案されている（特許文献８参照）。この提案は、通常の塗工ライナーは平滑が低くモトリングが発生しやすいこと、印刷光沢を高めたいことから、適正な平滑化を規定することで課題を解決したものであるが、規定の平滑性では塗被層のインキ吸収性が劣り、特にインキの発色性が不十分なレベルしか得られない。この塗布層の目的は、グラビア印刷、フレキソ印刷、オフセット印刷、及びインクジェット記録方式において、高い印刷光沢が得られ、印刷後の摩擦によりインクの剥がれ落ちが生じないことを目的として、表層の表面に無機顔料、バインダー、及び表面サイズ剤の３つを配合した塗布剤を塗布することが提案されている（特許文献９参照）。この中では、特に表面サイズ剤が、水、溶剤の吸収を抑制するために配合されているため、インキの吸収を抑制されて、高いインキ発色性は得られない。
【０００６】
【特許文献１】特開２００１−１４６６９７号公報
【特許文献２】特開２００７−１００２７８号公報
【特許文献３】特開２００２−３１７３９５号公報
【特許文献４】特開２００７−１５４３６０号公報
【特許文献５】特開２００４−２３２１５８号公報
【特許文献６】特開２００４−２３１９０１号公報
【特許文献７】特開平１１−２７９９８９号公報
【特許文献８】特開２０００−３１４０９５号公報
【特許文献９】特開２００５−０８９９３１号公報
【発明の開示】
【発明が解決しようとする課題】
【０００７】
本発明は、塗工ライナー表面の白色度が高く、フレキソ印刷インキ、特に水性フレキソインキに対して優れたインキ発色性と印刷均一性を有した美粧性に優れた塗工ライナーおよびそれを用いた段ボールシートを提供するものである。
【課題を解決するための手段】
【０００８】
少なくとも２層以上の多層抄きで構成される原紙の片面に顔料と接着剤とを含有する塗工層を設けてなる塗工ライナーにおいて、該原紙の表層に使用されるパルプが針葉樹晒クラフトパルプ、広葉樹晒クラフトパルプおよびケント古紙パルプから選ばれた少なくとも1種であり、該塗工層中の顔料として焼成カオリン及びタルクを含有し、かつ塗工ライナー表面の白色度が５０〜８５％であることを特徴とする塗工ライナー。
前記原紙の表層に接する表下層に使用されるパルプがケント古紙、雑誌古紙、新聞古紙および段ボール古紙から選ばれた少なくも１種であると好ましい。
前記塗工層中の焼成カオリンの含有量が全顔料１００質量部当たり３０〜９５質量部であると好ましい。
前記塗工層中のタルクの含有量が全顔料１００質量部当たり５〜５０重量部であるとより好ましい。
以上のような塗工ライナーを用いた段ボールシートが好ましい。
【発明の効果】
【０００９】
本発明によって、目視で十分な白さを有し、フレキソ印刷におけるインキ発色性に優れ、印刷均一性が良好なライナーおよびそれを用いた段ボールシートを提供することが可能となった。
【発明を実施するための最良の形態】
【００１０】
一般に、フレキソ印刷は水性タイプのインキを使用して印刷が実施されることから、印刷面の吸水性度合いによりインキの浸み込みが異なる。このため、フレキソインキにおける発色性、印刷均一性および網点再現性は、印刷される面の吸水性の度合いとフレキソインキ量に大いに影響される。ライナー表面に形成する塗工層中に焼成カオリンが存在するとフレキソインキ吸収性が極めてよくなり、この焼成カオリンの配合量、及びその他の顔料配合量を調整することにより、各種のフレキソ印刷機に適応したインキ発色性のよいライナーを得ることができる。
【００１１】
ここで、焼成カオリンを塗工層中に含有するとフレキソ印刷適性を改善する理由は必ずしも定かではないが、焼成カオリンは、天然に産するカオリンをキルンなどで約８００℃程度の高温処理することにより、カオリンの結晶構造中に存在する結晶水を放出させたもので、結晶構造が崩壊して非晶質な構造となり、不透明性、多孔質でインキ吸収性に優れた性質を持っている。このことから、焼成カオリンのもつ空隙性によって、顔料中にインキを取り込み、またインキ中の溶剤が均一に吸収されて、インキの発色性と均一性が得られ、また密着性の向上による網点の再現性も得られるものと考える。焼成カオリンの含有量は３０〜９５質量部が好ましく、より好ましくは６０〜９０重量部である。
【００１２】
また、塗工層中に含有する顔料として、タルクが必須である。その理由として、段ボールシートや段ボール箱の製造時においてライナー表面に異物が接触して擦れた時、ライナー表面の摩擦抵抗が高いと、ライナー表面に異物付着による汚れが発生しやすいことに対して、タルクが扁平顔料で、塗工層に存在すると摩擦抵抗を低減させる性質を有していることから、異物による汚れを軽減させるためである。一般的に製紙用のタルクは、セディグラフによって測定した平均粒径が１〜５μｍ、クロライト含有率は０〜９０％であるが、中でもクロライト含有率５〜５０％のタルクの使用は、顔料の分散性と加工時の汚れを軽減させる効果のバランスがとれているため、より好ましい。また、タルクの含有量は、顔料１００質量部当たり、５〜５０質量部が好ましい。クロライト含有率によりタルク配合部数は変わるものの、さらに好ましくは１５〜４０質量部である。ここで、タルクを配合した場合の焼成カオリンの含有量としては、４０〜９５重量部、より好ましくは６０〜８５重量部である。
【００１３】
本発明において、焼成カオリン、タルクを含有する塗工層は、単層であっても、複層であっても差し支えないが、全体の塗工量は２〜１０ｇ／ｍ2が好ましい。塗工量がこの範囲であると、経済性にすぐれ、且つ水性フレキソのインキ発色性が優れたライナーが得られる。より好ましい塗工量としては、３〜７ｇ／ｍ2ある。
【００１４】
ライナー原紙表層に塗工する塗料の顔料で焼成カオリン、タルク以外の顔料としては、製紙分野で通常使用されている顔料、例えば、クレー、構造化カオリン、エンジニアードカオリン、水酸化アルミニウム、二酸化チタン、軽質炭酸カルシウム、重質炭酸カルシウム、硫酸バリウム、酸化亜鉛、サチンホワイト、硫酸カルシウム等の一種または二種以上を、フレキソインキの吸収性の観点から、本発明の所望する効果を阻害しない範囲で使用することができる。ここで、プラスチックピグメント等の有機顔料はインキ吸収性が劣るので好ましくない。
【００１５】
さらに、ライナー原紙表層に塗工する塗料に、保水剤を添加すると塗工適性が向上するので好ましい。添加する保水剤としては、製紙分野で一般にＣＭＣと呼ばれているカルボキシメチルセルロースのナトリウム塩、ヒドロキシエチルセルロース、合成保水剤と呼ばれている多価カルボン剤アクリル系共重合体やメタクリル酸とアクリル酸エステルの共重合体等が挙げられる。その中でもカルボキシメチルセルロースのナトリウム塩は塗工面が
均一に塗工されやすく、特にエーテル化度０．６０〜１．００、重合度６００〜１２００
の範囲のものが取り扱い性に良好な点で好ましい。
【００１６】
本発明の塗料中の接着剤としては、特に限定するものではなく、一般の塗被紙製造分野
で使用されている公知の接着剤が適宜使用される。例えば、スチレン−ブタジエン共重合
体ラテックス、メチルメタクリレート−ブタジエン共重合体ラテックス、スチレンーメチルメタクリレートーブタジエン共重合体ラテックス等の共役ジエン系共重合体ラテックス、アクリル酸エステルおよび／またはメタクリル酸エステルの重合体または共重合体ラテックス等のアクリル系重合体ラテックス、エチレン−酢酸ビニル重合体ラテックス等のビニル系重合体ラテックス、あるいはこれらの各種重合体ラテックスをカルボキシル基等の官能基含有単量体で変性した重合体または共重合体ラテックス等の水分散性接着剤、ポリビニルアルコール、オレフィン−無水マレイン酸樹脂等の合成樹脂系接着剤、酸化澱粉、両性澱粉、エステル化澱粉、デキストリン等の澱粉類が例示される。これら水分散性および／または水溶性接着剤から１種または２種以上を適宜選択して使用できる。接着剤の配合部数は顔料１００質量部に対して、１０〜５０質量部の接着剤の使用が好ましい。さらに好ましくは１５〜４０質量部である。因みに、接着剤の含有量が１０部未満であれば塗工層の強度が保てない。５０部以上であれば塗工層中における顔料の比率が小さくなるため、フレキソ印刷におけるインキ発色性、あるいは印刷均一性もしくはその両方が劣る。
【００１７】
インキ発色性向上、印刷均一性の仕上がりに関しての効果を阻害しない範囲において、本発明に使用される塗料中に、防滑剤、染料等の添加剤を併用してもよい。
【００１８】
本発明の塗料をライナー原紙に塗工するに当たっては、塗被紙製造に一般に使用される塗工装置が使用でき、例えば、ブレードコーター、エアーナイフコーター、ロールコーター、リバースロールコーター、バーコーター、カーテンコーター、ダイスロットコーター、グラビアコーター、チャンプレックスコーター、２ロールサイズプレスコーター、ゲートロールサイズプレスコーター、フィルムメタリングサイズプレスコーター等の塗工装置を使用して、オンマシン方式またはオフマシン方式でライナー原紙の表面に、単層または多層で塗工される。塗工時の顔料組成物の固形分濃度は、１０〜７５重量％の範囲で選ぶことができるが、塗工量が２〜１０ｇ／ｍ2の範囲に留まるよう、塗工するコーターを考慮し、適宜調整することが好ましい。
【００１９】
本発明で塗工された塗工ライナーは、塗工面や印刷適性をさらに向上させるために、弾性ロールにコットンロールを用いたスーパーカレンダーや弾性ロールに合成樹脂ロールを用いたソフトニップ等のカレンダー装置により平滑化処理を行うことが出来る。ソフトニップカレンダーは合成樹脂ロール表面の耐熱温度がコットンロールに比べて高く設定することが可能なため、高温での処理が可能であり、同一の平滑性を目標とした場合、スーパーカレンダーに比べて処理線圧を低く設定できるので好ましい態様である。
【００２０】
本発明の塗工ライナー用原紙の表層を構成するパルプとしては、針葉樹晒クラフトパルプ、広葉樹晒クラフトパルプおよび原料が製本、印刷工場等より発生する上質およびアート紙の裁落を収集した古紙を脱墨して得られる古紙パルプ（以後ケント古紙と呼ぶ）から選ばれた少なくとも１種が使用され、その叩解度は２５０〜５００ｍｌが好ましい。これらのパルプが選択される理由は、塗工層に接する表層の白色度が高く、本発明に関わる塗工層を設けた際により白色度が高くなり、美粧性に優れた塗工ライナーが得られるからである。美粧性を損なわない範囲で、雑誌古紙、チラシ古紙、新聞古紙、オフィス古紙、情報用紙古紙、段ボール古紙、紙器古紙等の古紙パルプを脱墨して得られたパルプを適宜配合して使用される。
【００２１】
表下層を構成するパルプとしては、ケント古紙、雑誌古紙、新聞古紙、段ボール古紙から選ばれた少なくとも1種を使用することが好ましい。これは、表下層はライナー表層に接する層であるため表面の面質に影響を及ぼしやすく、表層に使用した高価なパルプをなるだけ少なく使用するにあたって、品質の変動の少ないこれらの古紙を使用することで、最終製品である塗工ライナーとして安定した品質を経済的に得ることができるからである。これらの古紙の中で、白色度が高いケント古紙パルプの使用が、表層の白色度、平滑性を向上させるため、より好ましい。
【００２２】
中層、裏層を構成するパルプとしては、特に限定するものではなく、例えば木材パルプである未晒、晒の化学パルプ、機械パルプ、非木材パルプ、ケント古紙、雑誌古紙、チラシ古紙、新聞古紙、オフィス古紙、情報用紙古紙、段ボール古紙、紙器古紙等の古紙パルプを脱墨して得られたパルプ、マニラ麻等のパルプから選ばれる一種又は二種以上を適宜配合して使用され、ライナーのグレードにより使用するパルプについて適宜選択して用いることが望ましい。例えば、強度か求められる場合には、未晒クラフトパルプ、または段ボール古紙を使用することが好ましい。これらのパルプを使用する際には、フリーネスを２００〜５００ｍｌに調整することが望ましい。
【００２３】
内添薬品も必要に応じて使用でき、例えば、硫酸バンド、ロジン等のサイズ剤、ポリアミド、澱粉等の紙力増強剤、濾水歩留まり向上剤、ポリアミドポリアミンエピクロヒドリン等の耐水化剤、染料等が使用される。例示したパルプ、内添薬品を使用し、多層に抄き合わせができる公知の長網フォーマ、円網フォーマを組み合わせた抄紙機により、２層以上に抄き合わされた原紙が使用される。抄き合わされる際の各層間に澱粉等の接着剤を噴霧または塗布することにより、各層間の強度を強めることも可能である。
【００２４】
ここで、ライナー原紙表面の白色度については、４０〜８０％の範囲で本発明に適用される。原紙の白色度が高ければ高いほど、塗工後の目視白さが向上し、フレキソ印刷の有り無しの部分のコントラストが大きくなるので印刷仕上がりが向上する。原紙の白色度を上げるには、使用するパルプを白くする必要があり、経済的な負担が増える。印刷仕上がりと経済性のバランスを考慮すると、原紙白色度は５０〜７０％の範囲が好ましい。なお、塗工する原紙の表層には、塗料の染み込みを抑えるため、サイズ剤を添加することが望ましい。
【００２５】
本発明の塗工ライナー上に印刷する際のフレキソインキとしては、特に制限はなく、アルコール型、コソルベント型、水性型、およびＵＶ硬化型等があげられるが、これらのフレキソインキの中でも水性型が安全性、作業性及び経済性の面でも優れており、本発明の効果が最も顕著に表れる実施態様である。
【００２６】
また使用されるフレキソ印刷機は、印刷ユニットの並び方により、スタック型、ライン型、セントラルインプレッション型の３タイプに分けられるが、いずれのタイプも使用できる。
【００２７】
上記の本発明により得られた塗工ライナーは、少なくとも一方の最外面に備えた段ボールシート用ライナーとして用いられる。段ボールシートとしては、中芯の片面にのみライナーが貼合された片面段ボールシート、中芯の両面にライナーが貼合された両面段ボールシート、中芯／ライナーの積層体が複数段設けられた複数段の段ボールシートがあるが、本発明はいずれの段ボールシートにも適用可能である。
【００２８】
ライナーと共に段ボールシートを構成する波状部材の中芯としては特に制限はなく、一般の段ボールシートに使用されているものが使用できる。原料パルプとしては、セミケミカルパルプ（ＳＣＰ）、ケミグラウンドパルプ（ＣＧＰ）、段ボール古紙パルプ、雑誌古紙パルプ、未晒クラフトパルプ、クラフトパルプ、合成繊維等が使用でき、中でも、資源保護の観点から、段ボール古紙パルプや雑誌古紙パルプ等の古紙パルプを多く用いることが好ましい。中芯は積層紙であっても良く、さらには層間に合成樹脂接着剤層を有する積層紙であっても良い。
【００２９】
本発明の段ボールシートは、従来公知の段ボールシートの製造方法をそのまま適用でき、例えば、中芯とライナーとを、接着性物質を介して貼合するコルゲーター処理を経て製造することができる。接着性物質としては、澱粉糊や合成樹脂（ポリエチレン、ポリプロピレン、ポリアミド、ポリエステル、エチレン−不飽和カルボン酸共重合体、スチレン−ブタジエン共重合体、ブタジエン−アクリロニトリル共重合体、スチレン−ブタジエン−アクリロニトリル共重合体、ポリ酢酸ビニル、エチレン−酢酸ビニル共重合体、ポリアクリル酸エステル系共重合体、スチレン−アクリル酸エステル共重合体等）等が挙げられる。
【００３０】
段ボールシートの具体的な接着方法としては、（１）中芯又はライナーの表面に、押出ラミネートや合成樹脂エマルジョンの塗布等により接着剤層を形成してから、これらを重ね合わせ、加圧及び加熱して接着する方法、（２）中芯／ライナー間に合成樹脂フィルムを介在させ、これを加圧及び加熱して接着する方法、（３）中芯／ライナー間に合成樹脂のエマルジョンや溶液等の接着剤を介在させ、これを加圧及び加熱して接着する方法等が挙げられる。なお、（２）の方法においては、あらかじめ成形された合成樹脂フィルムを繰り出し、中芯／ライナー間に供給することもできるし、合成樹脂フィルムを溶融押出成形しながら、中芯／ライナー間に供給することもできる。
【００３１】
上記コルゲーター処理を１回実施することで、片面段ボールシートが製造され、複数回繰り返し実施することで、両面段ボールシートや複数段の段ボールシートが製造される。両面段ボールシートは、例えば、中芯とライナーとを加熱加圧ロールで貼合し片面段ボールシートとするシングルフェーサ（ＳＦ）と、ＳＦで得られた片面段ボールシートの中芯側に更にライナーを重ね、加圧しながら熱盤上を走行させ貼合するダブルフェーサ（ＤＦ）とを有するコルゲーターを用いて製造することができる。加熱加圧条件は特に制限はないが、例えば、ＳＦの加熱温度１５０〜２００℃、線圧２０〜４０ｋＮ／ｍ、加圧時間０．０１〜０．２０秒、ＤＦの加熱温度１５０〜２００℃、線圧０．１〜１．０ｋＮ／ｍ、加圧時間２〜７秒等が好ましい。
【実施例】
【００３２】
以下に、実施例を挙げて本発明をより具体的に説明するが、勿論、本発明はそれらの範囲に限定されるものでない。なお、例中の「部」、「％」は特に断わらない限り、質量部、質量％を示す。
【００３３】
実施例１
表層のパルプとして、ＮＢＫＰ１０％、ケント古紙９０％で米坪を２５ｇ／ｍ２、表下層のパルプとしてケント古紙１００％で米坪を２５ｇ／ｍ２、中層のパルプとして、新聞古紙７０％、雑誌古紙３０％で米坪を４５ｇ／ｍ２とし、裏下層、裏層のパルプとして、段ボール古紙を使用して米坪７５ｇ／ｍ２として、５層に抄き合わせた米坪１７０ｇ／ｍ2のライナー原紙を得た。なお、表面層には、紙力剤（商品名：ポリストロンＰ−１２２２、荒川化学工業社製）１．３％、硫酸バンド３％、サイズ剤（商品名：サイズパインＳＰＮ−８１５、荒川化学工業社製）２．５％を添加した。また、表下層、中層、裏面層には、紙力剤（商品名：ポリストロンＰ−１２２２、前出）０．１％添加した。
【００３４】
次に、焼成カオリン（商品名：アンシレックス９３、ＢＡＳＦ社製）７０部に対して、タルク（商品名：ＮＫ−ＫＣＬ、兼松ケミカル社製）３０部、接着剤（商品名：Ｂ−１５３５、旭化成社製）を２８部、保水剤ＣＭＣ（商品名：ＢＳＨ、第一工業製薬社製）（いずれも固形分換算）からなる塗工液を、濃度４０％となるよう調製した。調製した塗料を上記の１７０ｇ／ｍ2のライナー原紙にバーコーターで乾燥重量が５ｇ／ｍ2（固形分）となるように塗工、乾燥後、２Ｎｉｐのカレンダー処理をして塗工ライナーを得た。
【００３５】
実施例２
実施例１において、焼成カオリン（商品名：アンシレックス９３、前出）２０部、タルク（商品名：ＮＫ−ＫＣＬ、前出）３０部、重質炭酸カルシウム（商品名：ＦＭＴ９０、ファイマテック社製）５０質量部、合成保水剤（商品名：ＳＮ９２４、サンノプコ社製）０．４部とした以外は実施例１と同様な方法で塗工ライナーを得た。
【００３６】
実施例３
実施例１において、焼成カオリン（商品名：アンシレックス９３  前出）２５部、タルク（商品名：ＮＫ−ＫＣＬ、前出）７０部、二酸化チタン（商品名：ＫＡ−１００、ＣＯＳＭＯ  ＣＨＥＭＩＣＡＬ社製）５部とした以外は実施例１と同様な方法で塗工ライナーを得た。
【００３７】
実施例４
実施例１において、表層にケント古紙８０％、ＬＢＫＰ２０％とした以外は、実施例１と同様の方法で塗工ライナーを得た。
【００３８】
実施例５
実施例４において、表下層のパルプをダンボール古紙５０％、新聞古紙５０％とした以外は実施例４と同様な方法で塗工ライナーを得た。
【００３９】
比較例１
実施例１で使用したライナー原紙に表面サイズ剤（商品名ＰＭ３８５、荒川化学工業社製）を０．２ｇ／ｍ２塗布した。
【００４０】
比較例２
実施例１において、焼成カオリン（商品名：アンシレックス９３、前出）１００質量部とした以外は、実施例１と同様にして塗工ライナーを得た。
【００４１】
比較例３
実施例１において、表層のパルプを段ボール古紙１００％とした以外は、実施例１と同様にして塗工ライナーを得た。
【００４２】
比較例４
実施例１において、２級カオリン（商品名：ＨＴ−ＧＡＳ、ＢＡＳＦ社製）１００部、塗工量を５．２ｇ／ｍ２とした以外は、実施例１と同様にして塗工ライナーを得た。
【００４３】
得られた塗工ライナーについて、下記の評価方法で評価を行い、結果を表１に示した。
なお、本発明における印刷ライナーの測定及び評価については特に記載のない限り、２３℃、５０％ＲＨの環境下で行った。
【００４４】
（白色度）
白色度は分光白色度測色計（スガ試験機社製）を用い、ＪＩＳ  Ｚ  ８１４８に準じて求めた。
【００４５】
（平滑度）
ＪＡＰＡＮ  ＴＡＰＰＩ  Ｎｏ．５−２：２０００に準じ、王研式平滑度計（ＡＳＡＨＩ−ＳＥＩＫＯ社製）を使用した。
【００４６】
（動摩擦係数）
ＪＩＳ  Ｐ８１４７：１９９４に準じ、引張試験機（測定器：オートグラフＡＧＳ−５００ＮＧ、島津製作所社製）を使用して、引張速度が１００ｍｍ／分、おもり１ｋｇで、ライナーの表面同士を擦り合わせた時の動摩擦係数を測定した。
【００４７】
（フレキソ印刷におけるインキの発色性、均一性）
Ｋ印刷プルーファー（ＲＫ  Ｐｒｉｎｔ−Ｃｏａｔ  Ｉｎｓｔｒｕｍｅｎｔｓ社製）、１００線／インチに彫刻したアニロックスプレートで、水性フレキソ藍インキ（商品名：アクワコンテＧＮ３９ＳＡ藍、東洋インキ社製）を使用して、得られた塗工ライナーに印刷した。印刷した面をカラー反射濃度計（Ｍｏｄｅｌ４０４Ｇ、Ｘ−Ｒｉｔｅ社製）でシアンインキ濃度を計測した。
フレキソ印刷均一性については、下記の目視評価を行った。
◎：フレキソ印刷面の均一性が優れている。
○：フレキソ印刷面にやや濃淡ムラが見られる。
×：フレキソ印刷面に濃淡ムラが顕著に見られる。
【００４８】
（網点再現性）
印刷局式グラビア印刷試験機（ＪＡＰＡＮ  ＴＡＰＰＩ紙パルプ試験方法Ｎｏ２４に準拠）で、インキは水性フレキソインキ（商品名：ＦＫ−９９Ｄ−２６０くろＰＲ−７、サカタインクス社製）を使用して印刷。５０％の階調部を２５倍に拡大し、網点の状態を下記の官能評価で行った。
○：網点の形状が明らかに認められるが、一部欠損がある。
△：網点の形状が認められるが、欠損部が全体の半分以上ある。
×：網点の形状が認められない。
【００４９】
（加工時汚れ評価）
得られた塗工ライナーおよび非塗工ライナーをコルゲーターで中芯（商品名：Ｓ１２０、王子板紙社製）と裏ライナー（商品名：ＳＦ２１０、王子板紙社製）を使用して貼合し、Ａフルート形態で段ボールシートを作成した。その後、製函工程を経て段ボール箱を作成した。貼合、製函工程における汚れは下記の基準で官能評価を行った。
○：ライナー表面に異物付着による汚れが全く見られない。
△：ライナー表面に異物付着による汚れがわずかに見られるが、実用上問題ないレベ
ルである。
×：ライナー表面に異物付着による汚れが著しくみられ、実用上問題があるレベルで
ある。
【００５０】
【表１】
2009263821.tif 000002
【００５１】
上記表1で明らかなように、実施例１、４は、白色度やフレキソ印刷のインキ濃度が高く、均一性、網点再現性に優れている。実施例２、３は焼成カオリン配合量がやや少ないため、フレキソインキ濃度はやや劣り、濃淡ムラも若干見られるが、網点再現性に優れている。実施例５は表下層に新聞古紙、雑誌古紙を使用しているため、白色度はやや低いが、フレキソインキ濃度、均一性、網点再現性が優れている。これに対して、比較例１は顔料塗工層がないとフレキソインキが染み込んでしまい、ムラとしては視認し難く、印刷均一性としては優れているが、インキ濃度が低く、フレキソ印刷品質が劣っており、また、網点再現性も劣っている。顔料配合が焼成カオリンのみである比較例２は動摩擦係数が高く、加工時汚れが著しく発生している。また、比較例３は表層に段ボール古紙を使用していることから、白色度が低く、顔料配合が焼成カオリンを含まない比較例４は、インキ吸収性が劣るため、インキ濃度が低い。
以上の通り、本発明により、目視で十分な白さを有し、フレキソ印刷インキ、特に水性フレキソインキに対して優れたインキ発色性と印刷面の仕上がりを持つ良好なライナーおよびそれを用いた段ボールシートを得ることができた。